(57)【要約】【課題】  入力端子から入力した複数のオーディオ信号をミックスしたり、出力するオーディオ信号を選択する作業を容易にすることができるコントローラー装置を提供する。【解決手段】  オーディオ信号を入力する第１の入力部及び第２の入力部と、前記第１の入力部及び前記第２の入力部に入力されたオーディオ信号を入力するマスター入力コントロール部とを備え、前記マスター入力コントロール部は、つまみ部を時計回り方向または反時計回り方向に回転させることにより前記第１の入力部及び前記第２の入力部に入力されたオーディオ信号の音量バランスを変化させて出力するＰＡＮコントロール部と、つまみ部を時計回り方向または反時計回り方向に回転させることにより前記ＰＡＮコントロール部から入力したオーディオ信号の音量レベルを一括して変化させて出力するレベルコントロール部とを備える【選択図】      図２
2013093737.tif 000002
【特許請求の範囲】
【請求項１】
パーソナルコンピュータ用のソフトウェアの動作及び外部から入力したオーディオ信号のミキシングをコントロールするコントローラー装置において、
オーディオ信号を入力する第１の入力部及び第２の入力部と、
前記第１の入力部及び前記第２の入力部に入力されたオーディオ信号を入力するマスター入力コントロール部とを備え、
前記マスター入力コントロール部は、つまみ部を時計回り方向または反時計回り方向に回転させることにより前記第１の入力部及び前記第２の入力部に入力されたオーディオ信号の音量バランスを変化させて出力するＰＡＮコントロール部と、つまみ部を時計回り方向または反時計回り方向に回転させることにより前記ＰＡＮコントロール部から入力したオーディオ信号の音量レベルを一括して変化させて出力するレベルコントロール部とを備えることを特徴とするコントローラー装置。
【請求項２】
請求項１記載のコントローラー装置において、
前記ＰＡＮコントロール部は、前記つまみ部を反時計回り方向に所定の角度だけ回転させた場合、前記第１の入力部から入力したオーディオ信号のみを出力し、前記つまみ部を時計回り方向に所定の角度だけ回転させた場合、前記第２の入力部から入力したオーディオ信号のみを出力することを特徴とするコントローラー装置。
【発明の詳細な説明】
【技術分野】
【０００１】
本発明は、ディスクジョッキー等が用いるＤＪ用パーソナルコンピュータ用のソフトウェアの動作及び外部から入力したオーディオ信号のミキシングをコントロールするコントローラー装置に関する。
【背景技術】
【０００２】
ディスクジョッキー（Disc Jockey（以下、ＤＪという。））がダンスクラブ等で用いるオーディオ再生装置として、オーディオ再生装置の操作部を操作してアナログレコードまたはコンパクトディスク（Compact Disc（以下、CDという。））等のオーディオ記録媒体に記録されたオーディオデータをアレンジし、例えば、スクラッチ奏法やループ再生奏法などの様々な再生を行うＤＪ用の再生装置がある（例えば、特許文献１及び２参照）。一方、近年、パーソナルコンピュータ（Personal Computer（以下、ＰＣという。））と専用のソフトウェアによって、ＤＪが行うパフォーマンスと同じようにオーディオデータをアレンジして再生を行うＰＣＤＪと言われるものがある（例えば、非特許文献１参照）。このＰＣＤＪは、高価なＤＪ用の再生装置と比較して、自前のＰＣと専用のソフトウェアを用意するのみで安価で手軽にＤＪと同じようなアレンジパフォーマンスを行うことができることから、このＰＣＤＪのシステムが急激に普及してきている。
【０００３】
近年、前述したＤＪ用の再生装置に備える操作子と同様の操作子を備え、この操作子を操作することによって前述したＰＣＤＪの動作をコントロールすることができるコントローラー装置が知られている。このコントローラー装置は、従来のＤＪ用再生装置に備えられている様々な操作子と同様の操作子を操作することによって、ＰＣＤＪの動作をコントロールすることができるため、ＰＣＤＪとコントローラー装置を用いることによって、高価なＤＪ用の再生装置を用いなくても、従来のＤＪ用再生装置と同様のパフォーマンスを行うことができる。
【０００４】
このコントローラー装置は、ＰＣＤＪの動作をコントロールする機能に加え、例えば、従来のミキシング装置（例えば、特許文献３参照）のように、オーディオ信号を入力する複数の入力端子とオーディオ信号を出力する複数の出力端子を備え、パネル上に備えた様々な操作子を操作して当該入力端子から入力した複数のオーディオ信号をミックスして出力するミキシング機能や、入力した複数のオーディオ信号の内から出力端子によって出力するオーディオ信号を選択するセレクター機能を備えたものが知られている。
【０００５】
図６は、従来のコントローラー装置を示すブロック図である。
コントローラー装置１００は、デジタルデータ入力部６、Ｄ／Ａ変換部７、マスター出力ボリュウム部８、第１の入力部１１、第２の入力部１２、マスター出力部１３、操作部１５、コントロール信号出力部１６、第１の入力ボリュウム部５０及び第２の入力ボリュウム部５１を備える。
【０００６】
操作部１５は、ＰＣＤＪの動作をコントロールするための各種操作指示を受け付ける。コントロール信号出力部１６は、操作部１５によって受け付けたＰＣＤＪの各種操作指示信号をＰＣＤＪに出力する。ＰＣＤＪは、コントロール信号出力部１６から出力された各種操作指示信号に応じて再生開始動作、再生停止動作等を行う。
【０００７】
デジタルデータ入力部６は、ＰＣＤＪから出力されたデジタルオーディオデータを入力する。Ｄ／Ａ変換部７は、デジタルデータ入力部６から入力されたデジタルオーディオデータをアナログオーディオ信号に変換する。第１の入力部１１及び第２の入力部１２は、例えば、外部のＣＤプレーヤから出力されたアナログオーディオ信号をそれぞれ入力する。
【０００８】
第１の入力ボリュウム部５０及び第２の入力ボリュウム部５１は、回動可能なボリュウムから成り、当該ボリュウムを回転させることによって、それぞれ第１の入力部１１及び第２の入力部１２から入力されたアナログオーディオ信号の音量レベルを変化させる。マスター出力ボリュウム部８は、回動可能なボリュウムから成り、当該ボリュウムを回転させることによって、第１の入力ボリュウム部５０、第２の入力ボリュウム部５１及びＤ／Ａ変換部７から出力されたそれぞれのアナログオーディオ信号の音量レベルを一括して変化させる。マスター出力部１３は、マスター出力ボリュウム部８から出力されたアナログオーディオ信号をアンプ装置等に出力する。
【０００９】
以上のように、従来のコントローラー装置１００は、操作部１５によって受け付けたＰＣＤＪの各種操作指示信号をＰＣＤＪに出力することによって、ＰＣＤＪの再生開始動作、再生停止動作等のコントロールをすることができる。また、従来のコントローラー装置１００は、第１の入力部１１及び第２の入力部１２にＣＤプレーヤからのアナログオーディオ信号がそれぞれ入力され、また、デジタルデータ入力部６にＰＣＤＪからのデジタルオーディオデータが入力された場合、ユーザが第１の入力ボリュウム部５０、第２の入力ボリュウム部５１及びマスター出力ボリュウム部８のボリュウムを調節することによって、ユーザが所望するオーディオ信号を任意にミックスさせ、また、ユーザが希望するオーディオ信号の音量レベルを任意に変化させたオーディオ信号をマスター出力部１３を介してアンプ装置に出力することができる。
【００１０】
例えば、第１の入力部１１及び第２の入力部１２にＣＤプレーヤからのアナログオーディオ信号がそれぞれ入力され、また、デジタルデータ入力部６にＰＣＤＪからのデジタルオーディオデータが入力されている場合、ユーザが第１の入力ボリュウム部５０及び第２の入力ボリュウム部５１を操作して第１の入力部１１及び第２の入力部１２に入力されたオーディオ信号の音量レベルを絞りきっておくことにより、マスター出力ボリュウム部８にはデジタルデータ入力部６から入力されたＰＣＤＪからのオーディオ信号のみが入力される。このため、マスター出力部１３を介してアンプ装置に出力されるオーディオ信号はＰＣＤＪから出力されたオーディオ信号のみとなるので、ユーザは、マスター出力ボリュウム部８を操作してＰＣＤＪから出力されたオーディオ信号の音量を任意のレベルに変化させてマスター出力部１３を介してアンプ装置にＰＣＤＪから出力されたオーディオ信号を出力することができる。
【００１１】
また、例えば、第１の入力部１１及び第２の入力部１２にＣＤプレーヤからのアナログオーディオ信号がそれぞれ入力され、デジタルデータ入力部６にＰＣＤＪからのデジタルオーディオデータが入力されている場合、第２の入力ボリュウム部５１を操作して第２の入力部１２から入力されたオーディオ信号の音量レベルを絞りきった状態とし、第１の入力ボリュウム部５０を操作して第１の入力部１１から入力されたオーディオ信号がマスター出力ボリュウム部８に出力されるオーディオ信号のレベルをある程度の音量レベルに設定しておくことにより、マスター出力ボリュウム部８には、デジタルデータ入力部６から入力されたＰＣＤＪからのオーディオ信号と、第１の入力部１１から入力されたＣＤプレーヤからのオーディオ信号が入力される。このため、マスター出力部１３を介してアンプ装置に出力されるオーディオ信号は第１の入力部１１に入力されたＣＤプレーヤからのオーディオ信号とＰＣＤＪから出力されたオーディオ信号がミックスされたオーディオ信号となるので、ユーザは、マスター出力ボリュウム部８を操作してＰＣＤＪから出力されたオーディオ信号の音量と第１の入力部１１から入力したＣＤプレーヤからのオーディオ信号を一括させて任意のレベルに変化させてマスター出力部１３を介してアンプ装置にＰＣＤＪから出力されたオーディオ信号を出力することができる。
【００１２】
このように、従来のコントローラー装置１００は、２台のＣＤプレーヤからそれぞれ出力されたオーディオ信号とＰＣＤＪから出力されたオーディオ信号をそれぞれ入力し、アンプ装置に出力させるオーディオ信号を任意に選択しつつ、選択した任意のオーディオ信号の信号レベルを変化させてアンプ装置に出力することができる。
【先行技術文献】
【特許文献】
【００１３】
【特許文献１】特開２００８−０２１３７９号公報
【特許文献２】特開２００７−２５７７７１号公報
【特許文献３】特開平９−２８４８３号公報
【非特許文献１】ＣＤＪ講座、［平成２２年５月１９日検索］、インターネット＜URL：http://www.ＰＣ-ＤＪ.net/＞
【発明の開示】
【発明が解決しようとする課題】
【００１４】
図６に示すような従来のコントローラー装置１００は、第１の入力部１１に入力されたオーディオ信号の音量レベルを第１の入力ボリュウム部５０によって変化させ、また第２の入力部１２入力されたオーディオ信号の音量レベルを第２の入力ボリュウム部５１によって変化させる構成であるため、マスター出力ボリュウム部８に入力される第１の入力部１１からのオーディオ信号、第２の入力部１２からのオーディオ信号及びデジタルデータ入力部６から入力されＤ／Ａ変換部７によってアナログ変換されたオーディオ信号の音量レベルをそれぞれ所望する音量レベルに調節してアンプ装置に出力することが困難となる。つまり、例えば、第１の入力部１１に入力されたオーディオ信号と第２の入力部１２に入力されたオーディオ信号及びＤ／Ａ変換部７を介してデジタルデータ入力部６から入力されたオーディオ信号の３つのオーディオ信号を、略同じ音量レベルとしてアンプ装置に出力させたい場合、Ｄ／Ａ変換部７を介してデジタルデータ入力部６から入力されるマスター出力ボリュウム部８に出力されるオーディオ信号の信号レベルは予め定めた一定の音量レベルであるため、マスター出力ボリュウム部８に入力される第１の入力部１１及び第２の入力部１２からのオーディオ信号の信号レベルがＤ／Ａ変換部７から出力されるＰＣＤＪからのオーディオ信号の信号レベルと略同一となるように、それぞれ第１の入力ボリュウム部５０及び第２の入力ボリュウム部５１の操作によって調整しておく必要があり、この調整作業が煩わしい。
【００１５】
また、例えば、ＰＣＤＪからの入力信号がなく、第１の入力部１１から入力されるオーディオ信号の音量レベルと第２の入力部１２から入力されるオーディオ信号が著しく異なった音量レベルで入力されている場合であって、第１の入力部１１から入力されるオーディオ信号と第２の入力部１２から入力されるオーディオ信号のそれぞれのオーディオ信号の音量レベルを略同一にしてアンプ装置に出力したい場合、マスター出力ボリュウム部８に入力される第１の入力部１１及び第２の入力部１２からのオーディオ信号の信号レベルが略同一となるように、それぞれ第１の入力ボリュウム部５０及び第２の入力ボリュウム部５１を操作によって調整しておく必要があり、この調整作業が煩わしい。
【００１６】
更に、第１の入力部１１及び第２の入力部１２にはＣＤプレーヤが接続されずに、デジタルデータ入力部６にＰＣＤＪから入力されたオーディオ信号のみが入力され、マスター出力部１３を介してアンプ装置にＰＣＤＪが出力したオーディオ信号のみを出力させている場合に、急遽、第１の入力部１１及び第２の入力部１２にＣＤプレーヤが接続され、アンプ装置に出力させるオーディオ信号をＰＣＤＪからのオーディオ信号に代えて、第１の入力部１１及び第２の入力部１２から入力されるＣＤプレーヤからのオーディオ信号に切替えようとする場合、ユーザは第１の入力部１１及び第２の入力部１２に新たに接続されたＣＤプレーヤから出力されるオーディオ信号の音量レベルを確認しつつ、第１の入力ボリュウム部５０及び第２の入力ボリュウム部５１を操作してマスター出力ボリュウム部８に入力されるオーディオ信号の音量レベルを調整しつつ、マスター出力ボリュウム部８による一括音量レベルの調整も行わなければならないため、この調整作業が煩わしい。
【００１７】
本発明は、操作子を操作することによってＰＣＤＪの動作をコントロールすると共に、複数の入力端子と複数の出力端子を備え、パネル上に備えた様々な操作子を操作して当該入力端子から入力した複数のオーディオ信号をミックスしたり、出力するオーディオ信号を選択するセレクター機能を備えたコントローラー装置において、入力端子から入力した複数のオーディオ信号をミックスしたり、出力するオーディオ信号を選択する作業を容易にすることができるコントローラー装置を提供することを目的とする。
【課題を解決するための手段】
【００１８】
上記の課題を解決するために、本願の請求項１記載の発明は、パーソナルコンピュータ用のソフトウェアの動作及び外部から入力したオーディオ信号のミキシングをコントロールするコントローラー装置において、オーディオ信号を入力する第１の入力部及び第２の入力部と、前記第１の入力部及び前記第２の入力部に入力されたオーディオ信号を入力するマスター入力コントロール部とを備え、前記マスター入力コントロール部は、つまみ部を時計回り方向または反時計回り方向に回転させることにより前記第１の入力部及び前記第２の入力部に入力されたオーディオ信号の音量バランスを変化させて出力するＰＡＮコントロール部と、つまみ部を時計回り方向または反時計回り方向に回転させることにより前記ＰＡＮコントロール部から入力したオーディオ信号の音量レベルを一括して変化させて出力するレベルコントロール部とを備えることを特徴とする。
【００１９】
本願の請求項２記載の発明は、請求項１記載のコントローラー装置において、前記ＰＡＮコントロール部は、前記つまみ部を反時計回り方向に所定の角度だけ回転させた場合、前記第１の入力部から入力したオーディオ信号のみを出力し、前記つまみ部を時計回り方向に所定の角度だけ回転させた場合、前記第２の入力部から入力したオーディオ信号のみを出力することを特徴とする。
【発明の効果】
【００２０】
本発明によれば、操作子を操作することによってＰＣＤＪの動作をコントロールすると共に、複数の入力端子と複数の出力端子を備え、パネル上に備えた様々な操作子を操作して当該入力端子から入力した複数のオーディオ信号をミックスしたり、出力するオーディオ信号を選択するセレクター機能を備えたコントローラー装置において、入力端子から入力した複数のオーディオ信号をミックスしたり、出力するオーディオ信号を選択する作業を容易にすることができるコントローラー装置を提供することができる。
【図面の簡単な説明】
【００２１】
【図１】本発明の一実施例であるコントローラー装置の構成を示す斜視図。
【図２】本実施例のコントローラー装置１を示すブロック図。
【図３】本実施例のコントローラー装置１のマスター入力コントロール部５を示すブロック図。
【図４】本実施例のコントローラー装置１のマスター入力コントロール部５を示す上面図。
【図５】本実施例のコントローラー装置１において、マスター入力コントロール部５の操作によるオーディオ信号のミキシング特性を示す図で、図５（ａ）はＰＡＮコントロール部５０１のつまみ部５０１１の回転に伴うオーディオ信号のミキシング特性を示す図、図５（ｂ）はレベルコントロール部５０２のつまみ部５０２１の回転に伴うオーディオ信号のミキシング特性を示す図。
【図６】従来のコントローラー装置を示すブロック図。
【発明を実施するための最良の形態】
【００２２】
以下、本発明の実施の形態を図面に基づいて説明する。
図１は、本発明の一実施例であるコントローラー装置の構成を示す斜視図である。
コントローラー装置１は、マスター入力コントロール部５、デジタルデータ入力部６、マスター出力ボリュウム部８、第１の入力部１１、第２の入力部１２、マスター出力部１３、操作部１５、コントロール信号出力部１６、筐体１０１及びパネル１０２を備える。マスター入力コントロール部５及びマスター出力ボリュウム部８は、パネル１０２の表面に配設され、また、デジタルデータ入力部６、第１の入力部１１、第２の入力部１２、マスター出力部１３及びコントロール信号出力部１６は、筐体１０１の側面に配設されている。
【００２３】
図２は、本実施例のコントローラー装置１を示すブロック図である。
コントローラー装置１は、前述した構成の他に、筐体１０１の内部にＤ／Ａ変換部７を備える。
【００２４】
操作部１５は、ＰＣＤＪの動作をコントロールするための各種操作指示を受け付ける。コントロール信号出力部１６は、操作部１５によって受け付けたＰＣＤＪの各種操作指示信号をＰＣＤＪに出力する。ＰＣＤＪは、コントロール信号出力部１６から出力された各種操作指示信号に応じて再生開始動作、再生停止動作等を行う。
【００２５】
デジタルデータ入力部６は、ＰＣＤＪから出力されたデジタルオーディオデータを入力する。Ｄ／Ａ変換部７は、デジタルデータ入力部６から入力されたデジタルオーディオデータをアナログオーディオ信号に変換する。第１の入力部１１及び第２の入力部１２は、例えば、外部のＣＤプレーヤから出力されたアナログオーディオ信号をそれぞれ入力する。
【００２６】
図３は、本実施例のコントローラー装置１のマスター入力コントロール部５を示すブロック図である。
【００２７】
図３に示すように、マスター入力コントロール部５は、ＰＡＮコントロール部５０１及びレベルコントロール部５０２を備える。ＰＡＮコントロール部５０１は、回動可能なボリュウムから成り、当該ボリュウムを回転させることによって、第１の入力部１１及び第２の入力部１２から入力されたアナログオーディオ信号のバランスを調整してダウンミックスする。レベルコントロール部５０２は、回動可能なボリュウムから成り、当該ボリュウムを回転させることによって、ＰＡＮコントロール部５０１から入力したオーディオ信号の音量レベルを調整する。
【００２８】
マスター出力ボリュウム部８は、後述するように回動可能なボリュウムから成り、当該ボリュウムを回転させることによって、マスター入力コントロール部５及びＤ／Ａ変換部７から出力されたそれぞれのオーディオ信号の音量レベルを一括して変化させる。マスター出力部１３は、マスター出力ボリュウム部８から出力されたアナログオーディオ信号をアンプ装置等に出力する。
【００２９】
図４は、本実施例のコントローラー装置１のマスター入力コントロール部５を示す上面図である。
【００３０】
図４に示すように、ＰＡＮコントロール部５０１は、円筒形のつまみ部５０１１を備え、このつまみ部５０１１は、表面に目印５０１０を備える。また、レベルコントロール部５０２は、円筒形のつまみ部５０２１を備え、このつまみ部５０２１は、表面に目印５０２０を備える。つまみ部５０１１及びつまみ部５０２１は、それぞれパネル１０２から上方に突出している。
【００３１】
パネル１０２は、ＰＡＮコントロール部５０１のつまみ部５０１１の周囲に、図４に示すような印刷部９が施される。ＰＡＮコントロール部５０１のつまみ部５０１１は、目印５０１０が「ＬＩＮＥ１」の印刷部９が施された位置から「ＬＩＮＥ２」の印刷部９が施された位置までの回転範囲において、時計回り及び反時計周りに自在に回転可能に成される。
【００３２】
また、パネル１０２は、レベルコントロール部５０２のつまみ部５０２１の周囲に、図４に示すような印刷部９が施される。レベルコントロール部５０２のつまみ部５０２１は、目印５０２０が「−∞」の印刷部９が施された位置から「ＭＡＸ」の印刷部９が施された位置までの回転範囲において、時計回り及び反時計周りに自在に回転可能に成される。
【００３３】
図５は、本実施例のコントローラー装置１において、マスター入力コントロール部５の操作によるオーディオ信号のミキシング特性を示す図で、図５（ａ）はＰＡＮコントロール部５０１のつまみ部５０１１の回転に伴うオーディオ信号のミキシング特性を示す図、図５（ｂ）はレベルコントロール部５０２のつまみ部５０２１の回転に伴うオーディオ信号のミキシング特性を示す図である。
【００３４】
ＰＡＮコントロール部５０１は、図４及び図５に示すように、目印５０１０が略中央の位置になっている場合、第１の入力部１１から入力されたオーディオ信号と第２の入力部１２から入力されたオーディオ信号を略同一の音量バランスでダウンミックスする。
【００３５】
ＰＡＮコントロール部５０１は、図４及び図５に示すように、つまみ部５０１１の目印５０１０が略中央の位置から反時計回り方向に回転するのに伴って第１の入力部１１から入力されたオーディオ信号の音量を第２の入力部１２から入力されたオーディオ信号の音量よりも大きな音量レベルとなるようバランス調整してダウンミックスしてレベルコントロール部５０２に出力し、更につまみ部５０１１を反時計回り方向に回転させて目印５０１０が「ＬＩＮＥ１」の位置となったときは、第１の入力部１１から入力されたオーディオ信号のみをダウンミックスしてレベルコントロール部５０２に出力する。また、ＰＡＮコントロール部５０１は、図４及び図５に示すように、つまみ部５０２１の目印５０１０が略中央の位置から時計回り方向に回転するのに伴って第２の入力部１２から入力されたオーディオ信号の音量を第１の入力部１１から入力されたオーディオ信号の音量よりも大きな音量レベルとなるようバランス調整してダウンミックスしてレベルコントロール部５０２に出力し、更につまみ部５０２１を時計回り方向に回転させて目印５０１０が「ＬＩＮＥ２」の位置となったときは、第２の入力部１２から入力されたオーディオ信号のみをダウンミックスしてレベルコントロール部５０２に出力する。
【００３６】
レベルコントロール部５０２は、図４及び図５に示すように、つまみ部５０２１の目印５０２０が略中央の位置から反時計回り方向に回転するのに伴ってＰＡＮコントロール部５０１から入力されたオーディオ信号の音量レベルを一括して小さい音量レベルにして出力し、更につまみ部５０２１を反時計回り方向に回転させて目印５０２０が「−∞」の位置となったときは、ＰＡＮコントロール部５０１から入力されたオーディオ信号の音量レベルを０にし、マスター出力ボリュウム部８にオーディオ信号を出力しない。また、レベルコントロール部５０２は、図４及び図５に示すように、つまみ部５０２１の目印５０２０が略中央の位置から時計回り方向に回転するのに伴ってＰＡＮコントロール部５０１から入力されたオーディオ信号の音量レベルを一括して大きい音量レベルにして出力し、更につまみ部５０２１を時計回り方向に回転させて目印５０２０が「ＭＡＸ」の位置となったときは、ＰＡＮコントロール部５０１から入力されたオーディオ信号の音量レベルを最大の音量レベルにしてマスター出力ボリュウム部８に出力する。
【００３７】
以上のように、本実施例のコントローラー装置１は、ＰＡＮコントロール部５０１及びレベルコントロール部５０２を備えたマスター入力コントロール部５を備えているため、第１の入力部１１及び第２の入力部１２から入力されたオーディオ信号の信号レベルのバランス調整と、バランス調整後にダウンミックスしたオーディオ信号の音量レベルの調整を簡単に行うことができる。
【００３８】
例えば、第１の入力部１１に入力されたオーディオ信号と第２の入力部１２に入力されたオーディオ信号及びＤ／Ａ変換部７を介してデジタルデータ入力部６から入力されたオーディオ信号の３つのオーディオ信号を略同じ音量レベルとしてアンプ装置に出力させたい場合、先ず、ＰＡＮコントロール部５０１のつまみ部５０１１を回転させて第１の入力部１１から入力されたオーディオ信号と第２の入力部１２から入力されたオーディオ信号の音量バランスが略同一となるよう調節し、次に、レベルコントロール部５０２のつまみ部５０２１を回転させて、ＰＡＮコントロール部５０１によってバランス調節後にダウンミックスされた信号の音量レベルがＤ／Ａ変換部７を介してデジタルデータ入力部６から入力されるオーディオ信号の音量レベルと略同一の音量レベルとなるよう調節する。このように、ＰＡＮコントロール部５０１及びレベルコントロール部５０２のそれぞれのつまみ部５０１１及びつまみ部５０２１を調節することによって、第１の入力部１１に入力されたオーディオ信号と第２の入力部１２に入力されたオーディオ信号及びＤ／Ａ変換部７を介してデジタルデータ入力部６から入力されたオーディオ信号の３つのオーディオ信号を簡単に略同じ音量レベルとしてアンプ装置に出力させることができる。
【００３９】
また、例えば、デジタルデータ入力部６への入力信号がなく、第１の入力部１１から入力されるオーディオ信号の音量レベルと第２の入力部１２から入力されるオーディオ信号が著しく異なった音量レベルで入力されている場合であって、第１の入力部１１から入力されるオーディオ信号と第２の入力部１２から入力されるオーディオ信号のそれぞれのオーディオ信号の音量レベルを略同一にしてアンプ装置に出力したい場合、先ず、ＰＡＮコントロール部５０１のつまみ部５０１１を回転させて第１の入力部１１から入力されたオーディオ信号と第２の入力部１２から入力されたオーディオ信号の音量バランスが略同一の音量レベルとなるよう調節し、次に、レベルコントロール部５０２のつまみ部５０２１を回転させて、ＰＡＮコントロール部５０１によってバランス調節後にダウンミックスされたオーディオ信号の音量レベルをある程度の音量レベルになるよう調節する。このように、ＰＡＮコントロール部５０１及びレベルコントロール部５０２のそれぞれのつまみ部５０１１及びつまみ部５０２１を調節することによって、第１の入力部１１から入力されるオーディオ信号の音量レベルと第２の入力部１２から入力されるオーディオ信号が著しく異なった音量レベルで入力されている場合であっても、第１の入力部１１から入力されるオーディオ信号と第２の入力部１２から入力されるオーディオ信号のそれぞれのオーディオ信号の音量レベルを簡単に略同一にしてアンプ装置に出力することができる。
【００４０】
また、更に、第１の入力部１１及び第２の入力部１２にはＣＤプレーヤが接続されずに、デジタルデータ入力部６にＰＣＤＪから入力されたオーディオ信号のみが入力され、マスター出力部１３を介してアンプ装置にＰＣＤＪが出力したオーディオ信号のみを出力させている場合に、急遽、第１の入力部１１及び第２の入力部１２にＣＤプレーヤが接続され、アンプ装置に出力させるオーディオ信号をＰＣＤＪからのオーディオ信号に代えて、第１の入力部１１及び第２の入力部１２から入力されるＣＤプレーヤからのオーディオ信号に切替えようとする場合、先ず、ＰＡＮコントロール部５０１のつまみ部５０１１を回転させて第１の入力部１１から入力されたオーディオ信号と第２の入力部１２から入力されたオーディオ信号の音量バランスが略同一となるよう調節し、次に、レベルコントロール部５０２のつまみ部５０２１を回転させて、ＰＡＮコントロール部５０１によってバランス調節後にダウンミックスされた信号の音量レベルをＰＣＤＪから入力されたオーディオ信号の音量レベルになるよう調節する。このように、ＰＡＮコントロール部５０１及びレベルコントロール部５０２のそれぞれのつまみ部５０１１及びつまみ部５０２１を調節することによって、急遽、第１の入力部１１及び第２の入力部１２にＣＤプレーヤが接続され、アンプ装置に出力させるオーディオ信号をＰＣＤＪからのオーディオ信号に代えて、第１の入力部１１及び第２の入力部１２から入力されるＣＤプレーヤからのオーディオ信号に切替えようとする場合でも、簡単にアンプ装置に出力させるオーディオ信号をＰＣＤＪからのオーディオ信号に代えて第１の入力部１１及び第２の入力部１２から入力されるＣＤプレーヤからのオーディオ信号に切替えることができる。
【００４１】
また、例えば、第１の入力部１１及び第２の入力部１２のそれぞれからオーディオ信号が入力されている場合において、アンプ装置に出力するオーディオ信号を第１の入力部１１または第２の入力部１２のどちらか一方のみのオーディオ信号に切替えたい場合、マスター入力コントロール部５のＰＡＮコントロール部５０１のつまみ部５０１１を回転させてＰＡＮコントロール部５０１の目印５０１０を「ＬＩＮＥ１」の位置にするか、または、「ＬＩＮＥ２」の位置にすることによって、簡単にアンプ装置に出力するオーディオ信号を第１の入力部１１または第２の入力部１２のどちらか一方のみにすることができる。
【００４２】
以上のように本実施例のコントローラー装置１は、マスター入力コントロール部５に備えたＰＡＮコントロール部５０１及びレベルコントロール部５０２のそれぞれのつまみ部５０１１及びつまみ部５０２１を操作して第１の入力部１１から入力されたオーディオ信号と第２の入力部１２から入力されたオーディオ信号の音量バランスとダウンミックスしたオーディオ信号の音量レベルを調整することによって、それぞれの入力端子から入力した複数のオーディオ信号をミックスしたり、出力するオーディオ信号を選択する作業を容易にすることができる。
【００４３】
本実施例のコントローラー装置１は、マスター入力コントロール部５に入力される信号を第１の入力部１１から入力されるオーディオ信号と第２の入力部１２から入力されるオーディオ信号の２系統のオーディオ信号としたが、３系統以上のオーディオ信号が入力される構成としても良い。
【００４４】
また、本実施例のコントローラー装置１は、デジタルデータを入力する入力部としてデジタルデータ入力部６の１系統の入力部のみを備える構成としたが、２系統以上のデジタルデータを入力する入力部を備える構成としても良い。また、本実施例のコントローラー装置１は、マスター入力コントロール部５から入力されたオーディオ信号とＤ／Ａ変換部７から入力されたオーディオ信号の音量レベルを一括して調整するマスター出力ボリュウム部８を備える構成としたが、マスター入力コントロール部５からのオーディオ信号とＤ／Ａ変換部７からのオーディオ信号の音量レベル調整が不要な場合は、マスター出力ボリュウム部８を備えない構成としても良い。
【産業上の利用可能性】
【００４５】
本発明は、ディスクジョッキー等が用いるＤＪ用パーソナルコンピュータ用のソフトウェアの動作及び外部から入力したオーディオ信号のミキシングをコントロールするコントローラー装置に有用に用いることができる。
【符号の説明】
【００４６】
１  コントローラー装置、１０１  筐体、１０２  パネル、
５  マスター入力コントロール部、
５０１  ＰＡＮコントロール部、５０１０  目印、５０１１  つまみ部、
５０２  レベルコントロール部、５０２０  目印、５０２１  つまみ部、
６  デジタルデータ入力部、７  Ｄ／Ａ変換部、８  マスター出力ボリュウム部、
９  印刷部、１１  第１の入力部、１２  第２の入力部、１３  マスター出力部、
１５  操作部、１６  コントロール信号出力部、１００  コントローラー装置、
５０  第１の入力ボリュウム部、５１  第２の入力ボリュウム部
【図１】
2013093737.tif 000003
【図２】
2013093737.tif 000004
【図３】
2013093737.tif 000005
【図４】
2013093737.tif 000006
【図５】
2013093737.tif 000007
【図６】
2013093737.tif 000008